(57)【要約】【課題】軸筒の把持部を把持した時に、指のみならず、指間部によって、手が筆記先端部方向へ移動することを抑制し、且つノック操作し易いノック式筆記具を、簡単な構造で提供することにある。【解決手段】軸筒内に、筆記具用レフィルをコイルスプリングにより軸筒後端方向に付勢して配設するとともに、前記軸筒に後端部に、軸筒後端から突出して付設したノック体を付設し、該ノック体を押圧することによって、前記筆記具用レフィルの筆記先端部を軸筒の先端開口部から突出可能な出没機構を具備したノック式筆記具において、前記軸筒の外壁が、前記軸筒の先端部から徐々に縮径し、前記軸筒の略中間部に向かって徐々に拡径する傾斜状又は円弧状に形成、且つ前記軸筒の略中間部から徐々に縮径し、前記軸筒の後端部に向かって徐々に拡径する傾斜状又は円弧状とし、前記軸筒の先端部、中間部、後端部に膨出部を形成したことを特徴とする。【選択図】図１
2008254378.tif 000002
【特許請求の範囲】
【請求項１】
軸筒内に、筆記具用レフィルをコイルスプリングにより軸筒後端方向に付勢して配設するとともに、前記軸筒に後端部に、軸筒後端から突出して付設したノック体を付設し、該ノック体を押圧することによって、前記筆記具用レフィルの筆記先端部を軸筒の先端開口部から突出可能な出没機構を具備したノック式筆記具において、前記軸筒の外壁が、前記軸筒の先端部から徐々に縮径し、前記軸筒の略中間部に向かって徐々に拡径する傾斜状又は円弧状に形成、且つ前記軸筒の略中間部から徐々に縮径し、前記軸筒の後端部に向かって徐々に拡径する傾斜状又は円弧状とし、前記軸筒の先端部、中間部、後端部に膨出部を形成したことを特徴とするノック式筆記具
【請求項２】
前記軸筒が、略中間部を基準として、軸筒先端部側及び軸筒後端部側の外形が略同一であることを特徴とする請求項１に記載のノック式筆記具。
【請求項３】
ノック式筆記具の重心が、前記軸筒の略中間部の膨出部に位置することを特徴とする請求項１または２に記載のノック式筆記具
【発明の詳細な説明】
【技術分野】
【０００１】
本発明は、軸筒内に、筆記具用レフィルをコイルスプリングにより軸筒後端方向に付勢して配設するとともに、前記軸筒の後端部に、軸筒後端から突出して付設したノック体を付設し、該ノック体を押圧することによって、前記筆記具用レフィルの筆記先端部を軸筒の先端開口部から出没可能な出没機構を具備したノック式筆記具に関する。
【背景技術】
【０００２】
従来から、軸筒内に、筆記具用レフィルをコイルスプリングにより軸筒後端方向に付勢して配設するとともに、前記軸筒の後端部に、軸筒後端から突出して付設したノック体を押圧することによって、前記筆記具用レフィルの筆記先端部を軸筒の先端開口部から出没可能な出没機構を具備したノック式筆記具は知られている。
【０００３】
こうしたノック式筆記具において、軸筒先端部又は軸筒先端部の把持部にグリップ部材を装着し、グリップ部材の先端部が先端に向かって徐々に拡径している筆記具は、特開平０６−２２７１９５号「筆記具」や特開平０８−３３０８７８号公報「筆記具把持具」に開示されている。
【０００４】
また、中間領域が前部領域より細径となるくびれ状とし、前部領域から後部領域に向かって徐々に拡径する筆記具は、特開２００１−２７０２８１号公報「筆記具」に開示されている。
【特許文献１】「特開平０６−２２７１９５号公報」
【特許文献２】「特開平０８−３３０８７８号公報」
【特許文献３】「特開２００１−２７０２８１号公報」
【発明の開示】
【発明が解決しようとする課題】
【０００５】
しかし、特許文献１、２のようにグリップ部材の先端部が先端に向かって徐々に拡径しているだけでは、把持部に装着したグリップ部材を指で把持した時に、筆記先端部方向への移動は、指によって抑制できるが、親指と人差し指の付け根（指間部）に軸筒後端部が当接し難く、指間部の後方への移動を抑制することができなかった。
【０００６】
また、特許文献３のように、中間領域が前部領域より細径となるくびれ状とし、前部領域から後部領域に向かって徐々に拡径する筆記具は、確かに把持部に装着したグリップ部材を指で把持した時に親指と人差し指の付け根（指間部）に軸筒後端部が当接し易く、指間部の後方への移動を抑制することはできるが、指間部と親指と人差し指との間に空間が形成され易く、筆記時等に指間部の筆記先端部方向への移動が防止できないため、指への負担が大きくなるという問題があった。
【０００７】
本発明はこうした問題に鑑み、軸筒の把持部を把持した時に、指のみならず、指間部によって、手が筆記先端部方向へ移動することを抑制し、且つノック操作し易いノック式筆記具を、簡単な構造で提供することにある。
【課題を解決するための手段】
【０００８】
本発明は、軸筒内に、筆記具用レフィルをコイルスプリングにより軸筒後端方向に付勢して配設するとともに、前記軸筒に後端部に、軸筒後端から突出して付設したノック体を付設し、該ノック体を押圧することによって、前記筆記具用レフィルの筆記先端部を軸筒の先端開口部から突出可能な出没機構を具備したノック式筆記具において、前記軸筒の外壁が、前記軸筒の先端部から徐々に縮径し、前記軸筒の略中間部に向かって徐々に拡径する傾斜状又は円弧状に形成、且つ前記軸筒の略中間部から徐々に縮径し、前記軸筒の後端部に向かって徐々に拡径する傾斜状又は円弧状とし、前記軸筒の先端部、中間部、後端部に膨出部を形成したことを特徴とする。
【０００９】
また、前記軸筒が、略中間部を基準として、軸筒先端部側及び軸筒後端部側の外形が略同一であることを特徴とする。
【００１０】
更にまた、ノック式筆記具の重心が、略中間部の膨出部に位置することを特徴とする。
【発明の効果】
【００１１】
本発明は、軸筒の把持部を把持した時に、指のみならず、指間部によって、手が筆記先端部方向へ移動することを抑制し、且つノック操作し易いノック式筆記具を、簡単な構造で提供することができた。
【発明を実施するための最良の形態】
【００１２】
次に図面を参照しながら、本発明の筆記具の軸筒の実施例を説明するが、本発明は以下の実施例に限定されるものではない。
【００１３】
実施例１
図１から図４に示す実施例１のノック式筆記具１は、前軸２と内部胴４を着脱自在に螺着し、内部胴４を被覆するように透明の後軸３を装着して軸筒本体を構成し、前軸２の先端部に黄銅を切削加工することにより形成した口先部材５を着脱自在に螺着し、前軸２の把持部に、予めシリコーンゴムにて成形した透明のグリップ部材５を配設してある。
【００１４】
また、内部胴４内にＰＯＭ樹脂で形成した回転カム１１からなる出没機構を具備している。この出没機構は、従来から知られているもので、簡単に説明すると、内部胴４の内壁面に回転カム１１を前後に摺動案内し回転させるためのカム溝（図示せず）を形成し、このカム溝に、回転カム１１に形成した突起を係合して配設してある。回転カム１１の後端には、回転カム１１を摺動し回転を付与するためのカム部を先端に有した押し棒１０を配設し、さらにその後端にノック体８を、後軸３及び内部胴４より外方に突出した状態に配設した構造である。また、口先部材６には不透明の滑り止め部材７を、ノック体８には不透明のノック体カバー９を装着してある。
【００１５】
回転カム１１の前方には、筆記具用インキ（図示せず）を収容したインキ収容管１２の先端部に、ボールを回転自在に包持したボールペンチップ１３を装着したボールペンレフィルをコイルスプリング１４により後軸３後端方向へ付勢して、摺動自在に配設してあり、口先部材６を取り外すことで、ボールペンレフィルを交換可能としてある。
【００１６】
ノック式筆記具１を使用するには、ノック体８を押圧して押し棒１０を押圧し、さらに回転カム１１をカム溝（図示せず）に沿って前進させ、押し棒１０のカム部の作用により回転カム１１を回転させて、ボールペンチップ１３を口先部材６の先端開口部６ａより突出させて使用することができる。さらにノック体８を押圧すると、押し棒１０のカム部の作用により回転カム１１を回転させ、コイルスプリング１４の付勢力によって回転カム１１をカム溝（図示せず）に沿って後退させ、ボールペンチップ１３を没入することができる。
【００１７】
グリップ部材５は、その外壁が、先端５ａから徐々に縮径し、且つ後端５ｂに向かって徐々に拡径する円弧状に形成してある。また、後軸３の外壁も同様に、後軸３の後端３ｂから徐々に縮径し、且つ先端３ａに向かって徐々に拡径する円弧状とし、軸筒の先端部に膨出部Ｂ１、中間部に膨出部Ｂ２、Ｂ３、後端部に膨出部Ｂ４を形成してある。
【００１８】
グリップ部材５の先端部が、先端５ａに向かって徐々に拡径する形状とし、軸筒の先端部に膨出部Ｂ１を形成することで、筆記時に口先部材６の先端開口部６ａ方向に指が移動し難くなり、筆記し易くなる。
【００１９】
また、後軸３を後端３ｂから徐々に縮径し、且つ軸筒本体の中間部に位置する先端３ａに向かって徐々に拡径する円弧状とし、後軸３の先端部（軸筒本体の中間部）に膨出部Ｂ３を形成することで、筆記時等、軸筒を把持した時の親指と人差し指の指間部が、口先部材６の先端開口部６ａ方向に移動し難くなり、指と指間部との両方で、口先部材６の先端開口部６ａ方向に移動を抑制できるため、指への負担を大幅に軽減できる効果を奏する。
【００２０】
また、グリップ部材５の後端部が、軸筒本体の中間部に位置する後端５ｂに向かって徐々に拡径する形状とし、グリップ部材５の後端部（軸筒の中間部）に膨出部Ｂ２を形成することで、筆記時等、軸筒を把持した時の指が、後軸３の後端３ｂ方向に移動し難くなり、後軸３を後端３ｂから徐々に縮径する形状とし、後軸３の後端部に膨出部Ｂ４を形成することで、指と指間部との両方で、後軸後端３ｂ方向への移動を抑制できる。
【００２１】
更にまた、後軸３の後端部に膨出部Ｂ４を形成することで、後軸３を握り、ノック体８をノック操作を行う時に、把持した指がノック体８方向に移動し難くなりノック操作し易くなる効果を奏するとともに、筆箱や陳列ケース等に収納した筆記具を取り出す時に、軸筒先端部又は軸筒後端部の膨出部Ｂ１、Ｂ４によって滑り難く取り出しやすいという効果も奏する。
【００２２】
本実施例では便宜上、軸筒の把持部にグリップ部材を装着してあるが、グリップ部材を装着してなくてもよい。但し、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、一般的に知られている弾性体のなかから適宜選定したグリップ部材を装着することによって把持感や指への疲れを軽減することからグリップ部材を装着することが最も好ましい。
【００２３】
本発明の軸筒は、軸筒の把持部の外壁が、先端から徐々に縮径し、軸筒の略中間部に向かって徐々に拡径するとともに、軸筒後端部の外壁が、軸筒の後端から徐々に縮径し、軸筒の略中間部に向かって徐々に拡径する形状であれば、実施例のように、前軸、後軸、グリップ部材等、複数の部品から構成されていてもよいし、一部品であってもよい。また、図示はしてないが、後軸とグリップ部材との間に装飾リング等の付設部材を介在されてあってもよい。
【００２４】
また、筆記具の重心を、軸筒の略中間部に位置することによって、筆記具を把持して筆記する時に、把持した指と、親指と人差し指の指間部間に重心が位置し、安定して筆記することができる。また軸筒は、略中間部を基準として、軸筒先端部側及び軸筒後端部側の外形を略同一とすることによって、使用者の興味を引くことができるとともに、筆記具の重心を軸筒の略中間部に位置させやすい。
【００２５】
本発明の実施例では、便宜上、回転カムによる出没機構を用いているが、軸筒後端から突出して配設したノック体を押圧することで、筆記具用レフィルの筆記先端部を軸筒の先端開口部から突出可能な出没機構であれば特に限定されない。
【産業上の利用可能性】
【００２６】
本発明のノック式筆記具は、ペン先やインキ等、筆記体の種類に限定されることなく広く実施可能である。
【図面の簡単な説明】
【００２７】
【図１】本発明のノック式筆記具を示す、縦断面図である。
【図２】図１における一部省略した軸筒先端部の拡大断面図である。
【図３】図１における一部省略した軸筒後端部の拡大断面図である。
【図４】図１における一部省略した展開図である。
【図５】図１における外観図である図である。
【符号の説明】
【００２８】
１  筆記具
２  前軸
２ａ  雄ねじ部
３  後軸
４  内部胴
５  グリップ部材
５ａ  先端面
６  口先部材
７  滑り止め部材
８  ノック体
９  ノック体カバー
１０  押し棒
１１  回転カム
１２  インキ収容筒
１３  ボールペンチップ
１４  コイルスプリング
【図１】
2008254378.tif 000003
【図２】
2008254378.tif 000004
【図３】
2008254378.tif 000005
【図４】
2008254378.tif 000006
【図５】
2008254378.tif 000007